(57)【要約】【課題】  複数のフレームレートで撮影された映像を、一定のフレームレートで連続して再生する場合、ズームによる画角変化率が各シーンで異なる結果となり映像が見難い。【解決手段】  設定したフレームレートに応じた制御マイコン８からの制御信号に基づいて、レンズドライバ３がズームレンズ２の位置を移動制御することによりズーム速度を可変制御し、フレーム間の画角変化率を一定にすることで再生時の映像を見やすくする。【選択図】  図１
2011119854.tif 000002
【特許請求の範囲】
【請求項１】
フレームレートを設定する設定手段を有する撮像装置において、フレームレートの設定値によってズームレンズの移動スピードを可変に自動選択するモードを有することを特徴とする撮像装置。
【請求項２】
異なるフレームレートで撮影した画像に対して、再生時にはどのフレームレートの画像も画角変化率が一定に再生されることを特徴とする請求項１に記載の撮像装置。
【発明の詳細な説明】
【技術分野】
【０００１】
本発明は、フレームレートが制御可能な撮像素子によって撮像される被写体に対してズーム動作を行う機構を備えるレンズ駆動装置を用いる撮像装置に関するものである。
【背景技術】
【０００２】
近年、デジタルビデオやデジタルカメラなどの撮像装置においては高フレームレート撮影など様々な機能を付加した撮像装置の多機能化が進んでいる。そして機能を拡張するとともに、より鮮明で最適に被写体を撮像できる撮像装置の設計が重要となってきている。
【０００３】
図３は撮像装置の内部構成を示すブロック図である。図３に示すように、撮像装置１００は、レンズ２１、撮像素子２２、カメラ信号処理部２３、モニタ２４、レコーダ２５、電源回路２６、画像変換回路２７、制御マイコン２８、操作キー２９を備える。撮像装置の原理としては、レンズ２１を通ってきた光が撮像素子２２によって電気信号に変えられ、カメラ信号処理部２３によってデジタル処理される。そして像をレコーダ２５に記録し、モニタ２４に表示する構成となっている。また、撮影者はモニタ２４に表示される像を確認しつつ操作キー２９を操作する。この操作キー２９の操作内容を示すデータは、制御マイコン２８により具体的な処理内容を示すコマンドにブレークダウンされた後、各部に供給される。
【０００４】
ここで従来は特許文献１にある通り、フレームレートの変化により単位時間当たりの画像データ量が大きく変化する場合でも、画質を大幅に劣化させることなく画像データの記録を行うことができる撮像記録装置を提供する例が開示されている。
【先行技術文献】
【特許文献】
【０００５】
【特許文献１】特開２００８−２５２５１２号公報
【発明の概要】
【発明が解決しようとする課題】
【０００６】
しかしながら、上記従来例では、以下のような問題点があった。
【０００７】
複数のフレームレートで撮影された映像を、一定のフレームレートで連続して再生する場合、ズームによる画角変化率が各シーンで異なる結果となり映像が見難いという問題があった。
【０００８】
そこで、本発明は上述の実情に鑑み、フレーム間の画角変化率を一定にすることで再生時の映像が見やすい撮像装置を提供するものである。
【課題を解決するための手段】
【０００９】
本発明の撮像装置は、フレームレートを設定する設定手段を有する撮像装置において、フレームレートの設定値によってズームレンズの移動スピードを可変に自動選択するモードを有することを特徴としている。
【００１０】
また、本発明の他の特徴とするところは、異なるフレームレートで撮影した画像に対して、再生時にはどのフレームレートの画像も画角変化率が一定に再生されることを特徴としている。
【発明の効果】
【００１１】
以上説明したように、本発明に係る撮像装置は、異なるフレームレートで撮った映像も画角変化率が一定なので、再生時に撮影した映像が見やすいといった効果がある。
【図面の簡単な説明】
【００１２】
【図１】本発明の実施例に係る撮像装置の内部構成を示すブロック図である
【図２】フレームレートと画角変化率の関係を示す図である。
【図３】従来の撮像装置の内部構成を示すブロック図である。
【発明を実施するための形態】
【００１３】
（実施例）
以下、本発明の実施の形態について、図面を参照しながら説明する。
【００１４】
図１には、本発明の実施例に係る撮像装置の内部構成を示すブロック図を示す。
【００１５】
本発明に係る撮像装置１０は、ズームスイッチ９を操作することでズームレンズ２の位置を移動させるズームレンズ駆動手段であるレンズドライバ３と、フレームレート設定用スイッチ１２を操作して設定したフレームレートを検知するフレームレート検知器６が検知したフレームレートに応じて、上記ズームレンズ２の移動速度を可変制御するように上記レンズドライバ３を制御する制御手段である制御マイコン８とを備えて成る。
【００１６】
また、本発明に係る撮像装置１０は、図１に示すように、被写体からの光をレンズブロック部１の内部のズームレンズ２を介して、画素信号に変換する撮像手段である撮像素子４と、上記撮像素子４からの画素信号に処理を施して映像信号を出力する信号処理手段であるカメラ信号処理部５と像を記録するレコーダー７と像を表示する表示部１１を備えて成る。
【００１７】
次に、図１の撮像装置の動作について説明する。
【００１８】
図１の撮像装置１０において、被写体を撮像する際のズーム動作時には、ズームスイッチ９からレンズ駆動回路８にズーム指示信号が入力される。レンズ駆動回路８では、上記ズーム指示信号が入力されたときに、フレームレート検知器６が検知したフレームレートに応じて、ズームレンズ２の移動速度を制御するようにズームレンズ２の移動量が生成される。このズームレンズ２の移動量は、レンズドライバ３に送られる。
【００１９】
ここで、再生時に一定の画角変化率となるように、フレームレートの設定値ごとにズームレンズ２の移動速度いわゆるズーム速度を設定し、この設定したズーム速度でズームレンズ２を駆動させるためのズームレンズ２の移動量を生成する。
【００２０】
ここで図２はフレームレートと画角変化率の関係を示す図である。
【００２１】
図２に示すように、本発明では、通常のフレームレート（６０fps）で撮影した時の画角変化率をＸとした時に、１２０fpsで撮影した時の画角変化率が２Ｘで１８０fpsで撮影した時の画角変化率は３Ｘとなるようにズームレンズ２の移動量を生成する。
【００２２】
ここで再生時には撮影した画像が表示部１１に表示され、複数のフレームレートで撮影された映像を、一定のフレームレートで連続して再生する場合、ズームによる画角変化率が各シーンで一定となる。
【００２３】
また、通常、撮像装置は音声入力装置を搭載しているが、スロー再生時には音声出力をしない場合があり、本発明に係る撮像装置は高フレームレート撮影時には音声入力を禁止することも可能であるような構成となっている。
【符号の説明】
【００２４】
１  レンズブロック部
２  ズームレンズ
３  レンズドライバ
４  撮像素子
５  カメラ信号処理部
６  フレームレート検知器
７  レコーダー
８  制御マイコン
９  ズームスイッチ
１０  撮像装置
１１  表示部
１２  フレームレート設定用スイッチ
１００  撮像装置
２１  レンズ
２２  撮像素子
２３  カメラ信号処理部
２４  モニタ
２５  レコーダ
２６  電源
２７  画像変換回路
２８  制御マイコン
２９  操作キー
【図１】
2011119854.tif 000003
【図２】
2011119854.tif 000004
【図３】
2011119854.tif 000005